(57)【要約】【課題】内部に機械的な振動源を有する電気機器本体の不本意な振動を抑えることのできる簡易な構成の電子機器装置を提供する。【解決手段】機械的な振動源を有し、所定のケーシングに組み込まれてユニット化された電気機器本体を、フランジユニットの壁面に取り付けて支持すると共に、上記電気機器本体を覆って前記フランジユニットにカバー体を取り付けた構造の電子機器装置において、特に前記フランジユニットに設けられた挿通孔を通して引き込まれて前記電気機器本体に接続されるケーブルを、前記電気機器本体の外面と前記カバー体の内面との隙間に配設して該ケーブルをクッション材として用いることを特徴とする。【選択図】　　　図６
2004037509.tif 000002
【特許請求の範囲】
【請求項１】
所定のケーシングに組み込まれてユニット化された電気機器本体と、
この電気機器本体と外部機器とを接続するケーブルの挿通孔を備えると共に、その壁面に装着される前記電気機器本体を支持するフランジユニットと、
前記電気機器本体を覆って前記フランジユニットに取り付けられるカバー体とを具備し、
前記挿通孔を通して引き込まれて前記電気機器本体に接続されるケーブルを前記電気機器本体の外面と前記カバー体の内面との隙間に配設して該ケーブルをクッション材として用いることを特徴とする電気機器装置。
【請求項２】
前記ケーブルは、導体を絶縁体で被覆した被覆線であって、上記絶縁体をクッション材として用いるものである請求項１に記載の電気機器装置。
【請求項３】
前記ケーブルは、前記電気機器本体の底面および側壁面に沿ってそれぞれ分散して配設される複数本のケーブルからなる請求項１に記載の電気機器装置。
【発明の詳細な説明】
【０００１】
【発明の属する技術分野】
本発明は、ユニット化された電気機器本体をフランジユニットの壁面に取り付けると共に、上記電気機器本体を覆って前記フランジユニットにカバー体を取り付けた構造の電気機器装置に関する。
【０００２】
【関連する背景技術】
火炎検出装置等の電気機器装置は、その電気機器本体を所定のフランジユニットの壁面に取り付けた構造を有する。具体的にはガスバーナの燃焼状態をモニタする火炎検出装置は、火炎検出用覗き窓に固定的に装着されるフランジユニットに、火炎センサとしての、例えば紫外線検出用放電管（ＵＶチューブ）およびこのＵＶチューブの受光窓を選択的に遮光するシャッタ機構等からなる装置本体（電気機器本体）を取り付け、この装置本体を覆って前記フランジユニットにカバー体を取り付けた構造を有する。
【０００３】
尚、典型的には特公昭４４−１０３９号公報に紫外線検出用放電管の構成が示され、また特公昭４７−７８７８号公報にその検出回路が開示される。
【０００４】
【発明が解決しようとする課題】
ところがこの種の装置においては、上述したシャッタ機構の作動に伴う振動がフランジユニットやカバー体に伝わることが否めない。このような振動は、いわゆる「ビビリ音」からなる耳障りな雑音となる。またこの種の不本意な振動は、前記フランジユニットに装置本体やカバー体をそれぞれ固定しているねじの緩みの原因ともなり易い。従って上述した構造の装置においては、装置本体やカバー体の不本意な振動を抑えることが重要である。
【０００５】
本発明はこのような事情を考慮してなされたもので、その目的は、内部に機械的な振動源を有する電気機器本体の不本意な振動を抑えることのできる簡易な構成の電子機器装置を提供することにある。
【０００６】
【課題を解決するための手段】
上述した目的を達成するべく本発明に係る電気機器装置は、機械的な振動源を有し、所定のケーシングに組み込まれてユニット化された電気機器本体を、フランジユニットの壁面に取り付けて支持すると共に、上記電気機器本体を覆って前記フランジユニットにカバー体を取り付けた構造のものであって、
特に前記フランジユニットに設けられた挿通孔を通して引き込まれて前記電気機器本体に接続されるケーブルを、前記電気機器本体の外面と前記カバー体の内面との隙間に配設して該ケーブルをクッション材として用いることを特徴としている。
【０００７】
ちなみに前記ケーブルは、導体を絶縁体で被覆した被覆線からなり、この被複線の上記絶縁体を、前記電気機器本体の外面と前記カバー体の内面との隙間に介挿されるクッション材として用いることを特徴としている。特に前記電気機器本体と外部装置とを接続するケーブルが複数本あるとき、これらのケーブルを前記電気機器本体の底面および側壁面に沿ってそれぞれ分散させて配設することが好ましい。
【０００８】
【発明の実施の形態】
以下、図面を参照して本発明の一実施形態に係る電子機器装置について、ガスバーナ等の燃焼状態をモニタする火炎検出装置を例に説明する。
この火炎検出装置は、図１にその分解斜視図を示すように、概略的にはガスバーナ等の火炎覗き窓（図示せず）に装着されるフランジユニット２０と、このフランジユニット２０に取り付けられるユニットホルダ３０、およびこのユニットホルダ３０の下部に組み込まれるシャッタユニット４０を備える。そして図２にその概略的な組み付け構造を示すように、上記ユニットホルダ３０の上面に火炎検出ユニット１０を着脱自在に装着し、更にカバー５０にて前記ユニットホルダ３０やシャッタユニット４０を一括して覆って用いられる。
【０００９】
尚、シャッタユニット４０は、前記ユニットホルダ３０の上面に装着された火炎検出ユニット１０の先端部に対峙させて設けられたシャッタブレード４１と、このシャッタブレード４１を変位させて前記火炎検出ユニット１０への紫外線の入射を選択的に阻止するソレノイドコイルからなる駆動機構４２等を備えたものである。
【００１０】
ちなみにシャッタブレード４１は、先端部を上方に向けてＬ字状に折り曲げたステンレス鋼（ＳＵＳ）等の長尺の板ばね体からなり、その後端部（根元部）を固定部として先端部の変位ストロークを十分に大きく確保した形状を有する。このシャッタブレード４１は、常時はその弾性力によって上方に向けて偏倚しており、Ｌ字状に折り曲げられた先端部を前記ユニットホルダ３０の上面に装着された火炎検出ユニット１０の受光窓（先端部）に対向させて位置付けられる。そしてソレノイドコイル（駆動機構）４２の通電により前記シャッタブレード４１はその弾性力に抗して下向きに曲げられて、その先端部を前記火炎検出ユニット１０の受光窓の前面から退避させる。この結果、前述した覗き窓を通して到来する火炎の光（紫外線）が火炎検出ユニット１０、ひいてはその内部に収納されたＵＶチューブ１に入射することになり、火炎検出ユニット１０（ＵＶチューブ１）による火炎検出が行われる。
【００１１】
ここで前記火炎検出ユニット１０は、図３にその概略的な構造を示すように紫外線検出用放電管（ＵＶチューブ）１をその保持体（チューブホルダ）２に組み付けて保持し、この保持体２と共に細長い筒状のケーシング３の内部に収納した構造を有する。上記ケーシング３は、その先端部に受光窓３ａを設けた遮光性の部材からなり、先端部に向けて僅かに小径化した円錐台状の筒体からなる。そしてその内部に収納されるＵＶチューブ１を外力から保護すると共に、前記受光窓３ａ以外からの光（紫外線）の入射を阻止する役割を担う。そしてこのケーシング３の後端部を閉塞する前記保持体２の後側面（ケーシング３の後端部）には、前記ＵＶチューブ２の一対の放電電極に接続された外部接続用端子４が設けられている。
【００１２】
尚、ＵＶチューブ１は、一対の放電電極（図示せず）を円筒状のガラス管１ａに封入し、その後端部から前記各放電電極のリード端子１ｂをそれぞれ導出した構造をなす。そして上記保持体２は、例えば射出成形により製作された合成樹脂製のものからなり、その一端部に前記ＵＶチューブ１が装着される円盤状の基台部２ａを備えると共に、他端部に前記リード端子１ｂに対する外部接続用端子４を装着した円盤状の端子台部２ｂを備えた構造を有する。これらの円盤状の基台部２ａおよび端子台部２ｂは、板状の連結部２ｃを介して互いに対峙して同軸に設けられる。
【００１３】
上記連結部２ｃは、基台部２ａに装着されたＵＶチューブ１の封止突起部１ｃが進入する空間を確保している。またこの連結部２ｃが形成した空間において、前記基台部２ａに保持されたＵＶチューブ１のリード端子１ｂと前記端子台部２ｂに装着された外部接続用端子４の接続片とが、電気抵抗体５やリード線を介して相互に接続される。そして保持体２に保持されて外部接続用端子４に接続されたＵＶチューブ１は、その先端部にキャップ状のパッキング体６を装着して前記ケーシング３の内部に嵌め込まれてパッケージ化されている。このキャップ状のパッキング体６は、シリコーンゴム等からなり、ＵＶチューブ１の外周面とケーシング３の内周面との間を気密にシールする役割を担う。またこのパッキング体６の先端部には前記ＵＶチューブ１の先端を受光窓として開口する開口部６ａが設けられている。
【００１４】
前述したユニットホルダ３０は、このような火炎検出ユニット１０をその上面に着脱自在に装着するもので、概略的には前記フランジユニット２０への取付面側に前記火炎検出ユニット１０の先端部が嵌め込まれる先端保持部（受け部）３１を備える。この先端保持部３１の内側に前述したシャッタブレード４１が選択的に位置付けられる。またユニットホルダ３０の略中央部には、前記火炎検出ユニット１０の周壁を保持する円弧状の保持枠３２が設けられており、更にユニットホルダ３０の後端部には前記先端保持部３１に対峙して一対の圧接端子３３，３３が並べて取り付けられている。これらの圧接端子３３，３３は、ユニットホルダ３０の上面に装着された火炎検出ユニット１０の後端部に設けられた一対の外部接続用端子４，４にそれぞれ圧接して、その電気的接続をなすものである。これらの圧接端子３３，３３から外部接続用端子４，４を介して前記ＵＶチューブ１に所定の駆動電圧が印加される。
【００１５】
ところで前記フランジユニット２０には、図２に示すように前述したシャッタユニット３０と外部装置（図示せず）とを電気的に接続するケーブルを敷設する為の挿通孔２１が設けられている。この挿通孔２１には図示しないケーブル配管が結合され、このケーブル配管から挿通孔２１を通して、例えば図４（ａ）に示すように複数本（４本）のケーブル２５（２５ａ，２５ｂ，２５ｃ，２５ｄ）がフランジユニット２０の内部に引き込まれる。ちなみに上記各ケーブル２５は、金属導体をポリ塩化ビニルやエチレンプロピレンゴム等の絶縁体にて被覆した被覆線からなる。これらのケーブル２５の内、２本のケーブル２５ａ，２５ｂは前記ソレノイドコイル４２の駆動用であり、残りの２本のケーブル２５ｃ，２５ｄは前述したＵＶチューブ１の駆動用である。
【００１６】
そしてこれらの各ケーブル２５は、図４（ｂ）に示すようにフランジユニット２０に組み付けられたユニットホルダ３０に設けられた圧接端子３３，３３にそれぞれ連なる一対の端子部３４，３４、および上記ユニットホルダ３０の下部に組み付けられたシャッタユニット４０の前述したソレノイドコイル４２に接続された一対の端子部４４，４４にそれぞれ接続される。
【００１７】
さて本発明に係る電子機器装置（火炎検出装置）が特徴とするところは、図５に前述したシャッタユニット３０をその底面側から見た状態を示すように、ソレノイドコイル４２の駆動用の２本のケーブル２５ａ，２５ｂをシャッタユニット３０の底面に沿わせて配設し、またＵＶチューブ１の駆動用の２本のケーブル２５ｃ，２５ｄを前記シャッタユニット３０の両側面にそれぞれ沿わせて分散させて配設している点にある。
【００１８】
尚、これらのケーブル２５は、シャッタユニット３０の底面および両側面にそれぞれ設けられた鈎状のケーブルフック３５に係止されて配設される。ちなみにこれらのケーブルフック３５は、各ケーブル２５の線径（外径）よりも僅かに低い突出寸法で前記シャッタユニット３０の底面および両側面にそれぞれ設けられる。そして前記シャッタユニット３０の底面および両側面における上記各ケーブルフック３５の裏面にそれぞれ対峙する部位には、ケーブル挿通用の逃げ溝（図示せず）がそれぞれ設けられている。前記各ケーブル２５は、このような逃げ溝に嵌め込まれて前記ケーブルフック３５に係止されることで、前記シャッタユニット３０の底面および両側面にそれぞれ位置ずれを招来することなく安定に敷設される。
【００１９】
そして上述した如く４本のケーブル２５を敷設し、これらのケーブル２５を前述した端子部３４，３４，４４，４４にそれぞれ接続した後、ユニットホルダ３０およびシャッタユニット４０を覆って前記カバー５０をフランジユニット２０に取り付ければ、図６にその断面構造を示すように前記各ケーブル２５は、シャッタユニット４０の底面および両側面とカバー５０の内面との隙間にそれぞれ挟み込まれる。
【００２０】
するとこれらの各ケーブル２５は、特にその被覆絶縁体がシャッタユニット４０の底面および両側面とカバー５０の内面との隙間に介挿されたクッション材として機能する。この結果、前述したソレノイドコイル４２を断続的に通電してシャッタブレード４１を変位駆動した際に生じる振動が、上記クッション材として作用するケーブル２５の被覆絶縁体により吸収されるので、カバー５０が不本意に振動したり、前述した耳障りなヒビリ音等が発生することがなくなる。特に上述した構造の火炎検出装置においては、フランジユニット２０に取り付けられたホルダユニット２０と、このホルダユニット２０の下部に取り付けられたシャッタユニット４０の重みがカバー５０の下側の面に強く作用するので、前述したようにケーブル２５をシャッタユニット４０の底面および両側面にそれぞれ敷設することが有用である。またこのようにして不本意な振動を抑制するので、フランジユニット２０にホルダユニット３０やカバー５０を取り付けたねじ等が次第に緩むような不具合を未然に防ぐことができる。
【００２１】
また上述したように複数本（４本）のケーブル２５が、シャッタユニット４０の底面および両側面に分散して配置されるので、フランジユニット２０の挿通孔２１を通して敷設されたケーブル２５が外部から引っ張られるような場合であっても、その引っ張り力が互いに異なる向きに分散される。またこれらの分散された引っ張り力は、前述したケーブルフック３５によりそれぞれ受け止められる。従って各ケーブル２５がそれぞれ接続された端子部３４，３４，４４，４４に不本意な外力が加わることがなく、その接続状態が安定に維持される。
【００２２】
尚、本発明は上述した実施形態に限定されるものではない。ここでは火炎検出装置を例に説明したが、他の同様な筐体構造を有する電子機器装置にも同様に適用することができる。また実施形態においては、４本のケーブル２５をシャッタユニット４０の底面および両側面に分散して敷設したが、更に多くのケーブルが配線されるような場合には、その上面側に敷設することも勿論可能である。その他、本発明はその要旨を逸脱しない範囲で種々変形して実施することができる。
【００２３】
【発明の効果】
以上説明したように本発明によれば、電子機器本体に接続されるケーブルを上記電子機器本体とこの電子機器本体を覆うカバーとの隙間に敷設し、ケーブルをクッション材として機能させるので、簡単な構成で電子機器本体に内蔵された振動源からの振動を効果的に抑えて耳障りな振動音をなくすことができる等の実用上多大なる効果が奏せられる。しかも複数本のケーブルを電子機器本体の周囲に分散させて敷設するので、その引っ張り強度を十分に高めることができる等の効果も奏せられる。
【図面の簡単な説明】
【図１】
本発明の一実施形態に係る電子機器装置としての火炎検出装置の概略的な全体
構造を示す分解斜視図。
【図２】
図１に示す火炎検出装置の組み付け構造を示す部分断面構成図。
【図３】
火炎検出ユニットの概略構成を示す分解図。
【図４】
図１に示す火炎検出装置における複数のケーブルの敷設形態を示す図。
【図５】
シャッタユニットの裏面側から見た複数のケーブルの敷設形態を示す図。
【図６】
シャッタユニットの底面および両側面とカバーの内面との隙間に敷設されるケーブルの様子を示す図。
【符号の説明】
１０　火炎検出ユニット
２０　フランジユニット
２５　ケーブル
３０　ユニットホルダ
４０　シャッタユニット
４１　シャッタブレード
４２　ソレノイドコイル
５０　カバー
【図１】
2004037509.tif 000003
【図２】
2004037509.tif 000004
【図３】
2004037509.tif 000005
【図４】
2004037509.tif 000006
【図５】
2004037509.tif 000007
【図６】
2004037509.tif 000008